(57)【要約】【課題】新規且つ改善された、乱流抑制プレートを有するディスクドライブの提供。【解決手段】ディスクドライブを組み立てる方法は、複数のディスクをスピンドル上に設置すること（７１０）と、乱流抑制プレートを、スピンドル上の複数のディスク間の位置に枢動させること（７１２）を備える。乱流抑制プレートは、ハウジングに関するピボット上に設置され（７１４）、所定の位置に回転される。乱流抑制プレートはハウジングに取り付けられ、カバーがハウジング上に設置されて、ディスクエンクロージャが形成され、乱流抑制プレートが封入される（７１６）。【選択図】      図７
2009087516.tif 000002
【特許請求の範囲】
【請求項１】
複数のディスクをスピンドル上に設置することと、
乱流抑制プレートを、前記スピンドル上の前記複数のディスク間の位置に枢動させることと、
を備える、ディスクドライブを組み立てる方法。
【請求項２】
前記乱流抑制プレートを、前記スピンドル上の前記複数のディスク間の位置に枢動させることは、前記乱流抑制プレートをハウジングに関するピボット上に設置することを含む、請求項１に記載の方法。
【請求項３】
前記乱流抑制プレートを、前記スピンドル上の前記複数のディスク間の位置に枢動させることは、前記乱流抑制プレートを、前記ディスクドライブのハウジングの取り付けエリアに部分的に取り付けることを含む、請求項１に記載の方法。
【請求項４】
前記乱流抑制プレートを、前記スピンドル上の前記複数のディスク間の位置に枢動させることは、前記乱流抑制プレートを前記ディスクドライブのハウジングの第１の取り付け開口部に軸支して取り付けることを含む、請求項１に記載の方法。
【請求項５】
前記乱流抑制プレートを、前記ディスクドライブのハウジングに取り付けることを更に備える、請求項１に記載の方法。
【請求項６】
ハウジングと、
前記ハウジングに取り付けられたスピンドルと、
前記スピンドルに取り付けられた第１のディスクと、
前記スピンドルに取り付けられた第２のディスクと、
前記ハウジング内で、前記スピンドルに取り付けられた前記第１のディスク及び前記第２のディスクの外周近くに設置された取り付け開口部のセットと、
前記ハウジングに取り付けられたピボットと、
前記第１のディスクと前記第２のディスクの間に位置する乱流抑制プレートであって、前記取り付け開口部のセットに取り付けられ、前記ピボット上に位置する乱流抑制プレートと、
前記ハウジングに取り付けられたカバーと、
を備えるディスクドライブ。
【請求項７】
前記ハウジング及び前記カバーは、クラムシェルヘッドディスクエンクロージャを形成する、請求項６に記載のディスクドライブ。
【請求項８】
前記ピボットは、前記ハウジングに対する取り付けエリア内の留め具である、請求項６に記載のディスクドライブ。
【請求項９】
前記乱流抑制プレートは、前記第１のディスクと前記第２のディスクとの間の位置へ、前記第１のディスク、前記第２のディスク、及び前記スピンドルに接触しないように回転するような形状をとる、請求項６に記載のディスクドライブ。
【請求項１０】
第１のディスクをディスクドライブのスピンドル上に設置することと、
第２のディスクを、前記第１のディスクから一定の間隔を空けて、前記ディスクドライブの前記スピンドル上に設置することと、
前記第１のディスク及び前記第２のディスクを、前記スピンドルに固定することと、
乱流抑制プレートを、ハウジングに関するピボット上に設置することと、
前記乱流抑制プレートを、前記スピンドル上の前記第１のディスクと前記第２のディスクの間の位置まで回転させることと、
を備える、ディスクドライブを組み立てる方法。
【請求項１１】
前記ピボットは、前記第１のディスク及び前記第２のディスクの外周外に位置している、請求項１０に記載の方法。
【請求項１２】
前記乱流抑制プレートを前記ハウジングに取り付けることと、
カバーを前記ハウジングに取り付けること、
を更に備える、請求項１０に記載の方法。
【発明の詳細な説明】
【技術分野】
【０００１】
本明細書中に述べられる様々な実施形態は、乱流抑制プレートを有するディスクドライブに関連する装置、システム、方法に関する。
【背景技術】
【０００２】
ディスクドライブは、情報記憶装置である。ディスクドライブは回転スピンドルに固定された１枚以上のディスクと、それぞれのディスクの表面からデータを表す情報を読み出すための、及び／又は、それぞれのディスクの表面にデータを書き込むための、少なくとも一つのヘッドを含む。ディスクドライブはまた、１又は複数のディスクの選択されたデータトラック上で１又は複数のトランスデューシングヘッド(transducing head)の位置決めのために、直線運動又は回転運動を用いるアクチュエータを含む。回転アクチュエータは、トランスデューシングヘッドに回転しているディスクの表面をスウィープ(sweep)させるピボットポイント(pivot point)に、スライダを連結し、スライダ上には、トランスデューシングヘッドが取り付けられているか、又は一体形成されている。回転アクチュエータは、ボイスコイルモータ(voice coil motor)によって駆動される。データの記憶は、ディスク上のトラックの各部への、データを表す情報の書き込みを含む。データの検索は、データを表す情報が記憶されたトラックの部分からの、データを表す情報の読み出しを含む。
【０００３】
ディスクドライブに関する多様な性能パラメータ(performance parameter)を向上させるため、産業界では常に競争的な努力が行われている。一性能パラメータ製造者は、ディスクドライブから情報を読み出し、ドライブに書き込まれるデータへと情報を変換するスピードを増大させるよう、常に試みている。このスピードは、多くの場合、アクセススピード(access speed)と称される。アクセススピードを増大させる一つの方法は、スピンドル(spindle)上の１又は複数のディスクがドライブ内で回転するレートを増大させることである。スピンドルがディスクドライブを速く回転させるほど、ディスク上のトラックからのデータを表す情報の読み取りが速くなる。現在のところ、ディスク又はディスクドライブを支えるスピンドルは、毎分５４００から７２００回転（ＲＰＭ）で回転できる。ディスクとハウジングとの間の相対運動は、このようなスピードで、あるいはより速いスピードでも同様に、ハウジング内における乱流風をもたらし得る。ただし、当該より速いスピードとは将来のドライブで予期されているスピードである。ディスクドライブ内の乱流風は、ディスクドライブ内の様々なコンポーネントを刺激し得る。刺激され、あるいは共鳴し得るコンポーネントのうちのいくつかには、ディスクやアクチュエータアームが含まれる。当然ながら、他のハードウェアもまた、様々な周波数で共鳴してもよい。ディスクやアクチュエータアーム、又は他のハードウェアが刺激され、あるいは共鳴すると、トランスデューシングヘッド(transducing head)を特定のトラック上に保つのが難しくなり、信頼性の高いトラックからの読み出し又はトラックへの書き込みも、同様に難しくなる。現行のディスクドライブは１インチあたりに多数のトラックを有するため、この問題は悪化する。結果として、トラックの幅が非常に小さく、たとえ振動による小さな動きであっても、読み出し動作および書き込み動作の信頼性を低下させ得る。
【発明の開示】
【発明が解決しようとする課題】
【０００４】
そこで、本発明は、新規且つ改善された、乱流抑制プレートを有するディスクドライブを提供することを目的とする。
【課題を解決するための手段】
【０００５】
本発明は以下の態様を含む。
【０００６】
（１）複数のディスクをスピンドル上に設置することと、
乱流抑制プレートを、前記スピンドル上の前記複数のディスク間の位置に枢動させることと、
備える、ディスクドライブを組み立てる方法。
【０００７】
（２）前記乱流抑制プレートを、前記スピンドル上の前記複数のディスク間の位置に枢動させることは、前記乱流抑制プレートをハウジングに関するピボット上に設置することを含む、（１）に記載の方法。
【０００８】
（３）前記乱流抑制プレートを、前記スピンドル上の前記複数のディスク間の位置に枢動させることは、前記乱流抑制プレートを、前記ディスクドライブのハウジングの取り付けエリアに部分的に取り付けることを含む、（１）に記載の方法。
【０００９】
（４）前記乱流抑制プレートを、前記スピンドル上の前記複数のディスク間の位置に枢動させることは、前記乱流抑制プレートを前記ディスクドライブのハウジングの第１の取り付け開口部に軸支して取り付けることを含む、（１）に記載の方法。
【００１０】
（５）前記乱流抑制プレートを前記ハウジングの第２の取り付け開口部に取り付けることを更に備える、（４）に記載の方法。
【００１１】
（６）前記乱流抑制プレートを前記ハウジングの第２の取り付け開口部に取り付けることは、
前記乱流抑制プレート内の開口部を前記第２の取り付け開口部と揃えることと、
留め具を、前記乱流抑制プレート内の開口部と前記第２の取り付け開口部を通して取り付けることと、
を含む、（５）に記載の方法。
【００１２】
（７）前記乱流抑制プレートを、前記ディスクドライブのハウジングに取り付けることを更に備える、（１）に記載の方法。
【００１３】
（８）前記乱流抑制プレートを、前記ディスクドライブのハウジングに取り付けることは、前記乱流抑制プレート内の複数の開口部を通して、前記ハウジング内の対応する複数の取り付け開口部に複数の留め具を取り付けることを含む、（７）に記載の方法。
【００１４】
（９）前記ハウジングの前記複数の取り付け開口部は、前記ハウジングの外周内にある、（８）に記載の方法。
【００１５】
（１０）前記複数のディスク及び前記乱流抑制プレートを封入することを更に含む、（７）に記載の方法。
【００１６】
（１１）前記複数のディスク及び前記乱流抑制プレートを封入することは、カバーを前記ハウジング上に設置することを含む、（１０）に記載の方法。
【００１７】
（１２）ハウジングと、
前記ハウジングに取り付けられたスピンドルと、
前記スピンドルに取り付けられた第１のディスクと、
前記スピンドルに取り付けられた第２のディスクと、
前記ハウジング内で、前記スピンドルに取り付けられた前記第１のディスク及び前記第２のディスクの外周近くに設置された取り付け開口部のセットと、
前記ハウジングに取り付けられたピボットと、
前記第１のディスクと前記第２のディスクの間に位置する乱流抑制プレートであって、前記取り付け開口部のセットに取り付けられ、前記ピボット上に位置する乱流抑制プレートと、
前記ハウジングに取り付けられたカバーと、
を備えるディスクドライブ。
【００１８】
（１３）前記ハウジング及び前記カバーは、クラムシェルヘッドディスクエンクロージャを形成する、（１２）に記載のディスクドライブ。
【００１９】
（１４）前記ピボットは、前記ハウジングに対する取り付けエリア内の留め具である、（１２）に記載のディスクドライブ。
【００２０】
（１５）前記乱流抑制プレートは、前記第１のディスクと前記第２のディスクとの間の位置へ、前記第１のディスク、前記第２のディスク、及び前記スピンドルに接触しないように回転するような形状をとる、（１２）に記載のディスクドライブ。
【００２１】
（１６）第１のディスクをディスクドライブのスピンドル上に設置することと、
第２のディスクを、前記第１のディスクから一定の間隔を空けて、前記ディスクドライブの前記スピンドル上に設置することと、
前記第１のディスク及び前記第２のディスクを、前記スピンドルに固定することと、
乱流抑制プレートを、ハウジングに関するピボット上に設置することと、
前記乱流抑制プレートを、前記スピンドル上の前記第１のディスクと前記第２のディスクの間の位置まで回転させることと、
を備える、ディスクドライブを組み立てる方法。
【００２２】
（１７）前記ピボットは、前記第１のディスク及び前記第２のディスクの外周外に位置している、（１６）に記載の方法。
【００２３】
（１８）前記乱流抑制プレートを前記ハウジングに取り付けることと、
カバーを前記ハウジングに取り付けること、
を更に備える、（１６）に記載の方法。
【００２４】
（１９）前記カバーと前記ハウジングの間にシールを取り付けることを更に備える、（１８）に記載の方法。
【発明の効果】
【００２５】
本発明によれば、新規且つ改善された、乱流抑制プレートを有するディスクドライブを提供することができる。
【発明を実施するための最良の形態】
【００２６】
図１は、本明細書において説明される実施形態の一例による、ディスクドライブ１００の斜視図であり、第１のディスク１２０と第２のディスク１２０’との間に乱流抑制プレート(turbulence reduction plate)２００が設置される前に、ハウジングカバー(housing cover)が外された状態を示している。また、図２は、本明細書において説明される実施形態の一例による、ディスクドライブ１００の上面図であり、第１のディスク１２０及び第２のディスク１２０’との間に乱流抑制プレート２００が設置される前に、ハウジングカバーが外された状態を示している。図１及び図２を参照して、ディスクドライブ１００をより詳細に説明する。ディスクドライブ１００は、ハウジングベース(housing base)１０４及びハウジングカバー１０６（図５に示す）を含むハウジング(housing)１０２を含む。図示されたハウジングベース１０４はベースキャスティング(base casting)であるが、他の実施形態においては、ハウジングベース１０４は、ディスクドライブ１００の組み立てに先立って、あるいは組み立て中に組み立てられる別個の要素を備えてもよい。第１のディスク１２０及び第２のディスク１２０’は、スピンドルモータ(spindle motor)によって回転されるハブ(hub)すなわちスピンドル(spindle)１２２に取り付けられ得る。ディスク１２０及びディスク１２０’は、クランプ(clamp)１２１によってハブあるいはスピンドル１２２に取り付け可能である。ディスクは、一定の、もしくは毎分３６００未満から１５０００回転より大きい値にわたる範囲の可変レートで回転させられてもよい。より高速な回転速度も将来には予想されている。スピンドルモータはハウジングベース１０４に接続される。ディスク１２０、１２０’のそれぞれは、軽アルミ合金、セラミック／ガラス又は他の適当な基板から製造可能で、ディスク１２０、１２０’の片面又は両面に磁性材料が沈着されている。磁性層は、トランスデューシングヘッド(transducing head)１４６を介して転送されるデータを記憶するための磁化の小領域を含む。トランスデューシングヘッド１４６は、ディスク１２０からデータを読み出し、ディスク１２０にデータを書き込むよう構成された磁気トランスデューサ(magnetic transducer)を含む。他の実施形態では、トランスデューシングヘッド１４６は、別個の読み出し素子と書き込み素子を含む。例えば、この別個の読み出し素子は、ＭＲヘッドとして知られる磁気抵抗ヘッドであってもよい。多数のヘッド１４６による構成も用いられ得ることも理解される。
【００２７】
回転アクチュエータ１３０は、ベアリング１３２によってハウジングベース１０４に軸支されて取り付けられ、ディスク１２０の内径(ＩＤ)と、ディスク１２０、１２０’の外径(ＯＤ)付近に配置されたランプ(ramp)１５０との間を、弧を描いてスウィープする。ハウジング１０４に取り付けられるのは、少なくとも１つの磁石１１３であり、ボイスコイルモータ(voice coil motor)(ＶＣＭ)１１２の静止部の少なくとも一部を形成する。ボイスコイル(voice coil)１３４は、回転アクチュエータ１３０に取り付けられ、ＶＣＭ１１２のエアギャップ(air gap)に配置される。回転アクチュエータ１３０は、ボイスコイル１３４に電流が流されるとベアリング１３２を軸にして回転し、電流の向きが逆転すると逆方向に回転して、アクチュエータ１３０及び取り付けられたトランスデューシングヘッド１４６のディスク１２０に対する位置の制御を可能とする。ＶＣＭ１１２は、サーボシステム(servo system)に連結され、サーボシステムは、トランスデューシングヘッド１４６によってディスク１２０、１２０’の表面のうちの一つから読み出された位置決めデータを用いて、ディスク１２０、１２０’のうちの一つ上の複数のトラックのうちの一つに対するトランスデューシングヘッド１４６の位置を決定する。サーボシステムは、ボイスコイル１３４に流すのに適切な電流を決定し、電流ドライバ及び関連する回路を用いて、ボイスコイル１３４に電流を流す。実施形態によっては、二つの別個の素子を有するトランスデューシングヘッドもあるということには、留意が必要である。一つの素子は、データを表す情報の読み出しと位置情報すなわちサーボ情報(servo information)の読み出しのためのものである。この素子は読み出し素子として知られる。他方の素子は、これらの実施形態においては、データを表す情報の書き込みのためのものであり、書き込み素子として知られている。このようなトランスデューシングヘッドの一例として、磁気抵抗(ＭＲ)トランスデューシングヘッドがある。
【００２８】
前述のように、ディスク１２０、１２０’は、複数のトラックをそれぞれのディスク表面上に有する。組み込みタイプのサーボディスクドライブでは、サーボウェッジは、複数のトラックを横切る。複数のトラックは、実施形態によっては、ほぼ同心の円のセットとして配置されてもよい。データは、埋め込まれたサーボウェッジ間のトラックに沿った固定セクタに記憶される。ディスク１２０、１２０’上のトラックはそれぞれ、複数のデータセクタ(data sector)を含む。ディスク１２０、１２０’の内側に近いトラックは、ディスク１２０、１２０’の外周に近いトラックほどの長さを有しない。結果として、ディスク１２０、１２０’の内側に近いトラックは、ディスク１２０、１２０’の外周に近いトラック程多くのデータセクタを保持できない。同数のデータセクタを保持可能なトラックは、ｘデータゾーン(x data zone)としてグループ化されてもよい。ベース１０４は、留め具(fastener)を受け入れる数個のねじ取り付け開口部(threaded mounting opening)２０１、２０２、２０３を含む。乱流抑制プレート２００もまた対応するタブを含み、当該タブは、開口部２１１、２１２、２１３を有する。留め具は開口部２１１、２１２、２１３のそれぞれを通して設置されて、ベース１０４内の取り付け開口部２０１、２０２、２０３にねじ込まれ、乱流抑制プレート２００が取り付けられる。図２に示すように、ベース１０４又は乱流抑制プレート２００の一方が、ピボットピン(pivot pin)２０４を含む。乱流抑制プレート２００は、ピボットピン２０４を軸にして旋回し、図１に示される矢印３００の方向に回転する。他の実施形態では、留め具２２１は、開口部２１１を通して開口部２０１内に取り付けられる。留め具２２１は、乱流抑制プレート２００が止め具２２１を軸にして旋回できる程度に締め付けられる。図１及び図２では、乱流抑制プレートは回転されておらず、ほぼ完全にディスク１２０、１２０’の外周外にある。
【００２９】
図３は、本明細書において説明される実施形態の一例による、ディスク間に乱流抑制プレートが設置された後の、ディスクドライブ１００の斜視図であり、また、図４は、ディスク間に乱流抑制プレートが設置された後の、ディスクドライブ１００の上面図である。乱流抑制プレート２００は、図４では隠れ線(hidden line)によって示されている。図３及び図４は、ディスクドライブ１００に関する中間アッセンブリ(intermediate assembly)を示す。中間アッセンブリは、乱流抑制プレート２００を第１のディスク１２０と第２のディスク１２０’の間に設置した後の、ベース１０４への乱流抑制プレート２００の留め付けを含む。これはまた、乱流抑制プレート２００のディスクスタック(disk stack)への統合(merging)と称されてもよい。ディスクスタックは、スピンドル１２２に取り付けられた、第１のディスク１２０、ディスク間の中間スペーサ(intermediate spacer)、及び第２のディスク１２０’からなる。以下では、図１から図４を参照して、乱流抑制プレート２００をディスク１２０、１２０’間の位置に回転させる方法と同様、中間アッセンブリについてもより詳細に説明する。図３及び図４に示すように、乱流抑制プレート２００は、第１のディスク１２０と第２のディスク１２０’の間に位置する。乱流抑制プレート２００の全ての部分が、ハウジング１０２のベース１０４のフットプリント(footprint)内にある。乱流抑制プレート２００はまた、取り付けエリア(mounting area)すなわち取り付け開口部２１１、２１２、２１３で、ハウジング１０２のベース１０４に取り付けられている。留め具２２１、２２２、２２３は開口部２０１、２０２、２０３を通り、乱流抑制プレート２００に達する。そして留め具２２１、２２２、２２３は、開口部２１１、２１２、２１３とかみ合う。一実施形態において、留め具２２１、２２２、２２３は、ねじ取り付け開口部２１１、２１２、２１３にねじ込まれてかみ合わされる。乱流抑制プレート２００が有する厚さは、スピンドル１２２上に取り付けられた第１のディスク１２０と第２のディスク１２０’との間のスペースよりは薄い。乱流抑制プレート２００は、第１のディスク１２０と乱流抑制プレート２００との間に小さいスペースを残して、また第２のディスク１２０’と乱流抑制プレート２００との間に小さいスペースを残して配置されている。これらのスペースは、ドライブ１００内の空気の乱れた流れ(turbulent flow)を充分実質的に抑制あるいは防止できるほどに小さい。乱流抑制プレート２００は、ピボットポイント２０４（図４に示す）を軸にして回転させられ得る。他の実施形態において、留め具のうちの一つ２１１は、ねじ取り付け開口部２０１に取り付けられ、ピボットポイントを形成する。
【００３０】
乱流抑制プレート２００は、アルミニウムや工業用ナイロン(industrial grade nylon)等の非磁性材料から形成されている。乱流抑制プレート２００上への静電気の蓄積をおおむね防止するために、乱流抑制プレート２００もまた、ハウジング１０２に接地されている。結果として、第１のディスク１２０又は第２のディスク１２０’のうちの一つ、あるいはその両方と、乱流抑制プレート２００の間での静電放電の発生が低減、あるいは実質的に排除される。
【００３１】
図５は、本明細書中で説明される実施形態の一例による、乱流抑制プレート２００がディスク１２０、１２０’の間に設置された後、カバー１０６が取り付けられようとしているディスクドライブの斜視図である。カバー１０６をハウジング１０２のベース１０４に取り付けると、ディスク１２０、１２０’、アクチュエータ１３０、トランスデューシングヘッド１４６（一般的に、ディスク１２０の主要な表面ごと、ディスク１２０’の主要な表面ごとに１つのトランスデューシングヘッドがある）も封入される。図示のように、カバーの取り付けは、留め具２２１、２２２、２２３及びハウジングベース１０４に対する取り付けエリア２１１、２１２、２１３と同様、乱流抑制プレート２００の封入をも含む。カバー１０６のベース１０４への取り付けはまた、ヘッドディスクエンクロージャ形成(forming head disk enclosure)と称される。
【００３２】
図６は、実施形態の一例による、ディスクドライブを組み立てる方法６００のフローチャートである。ディスクドライブを組み立てる方法６００は、第１のディスクをディスクドライブのスピンドル上に設置すること６１０、ディスクスペーサ(disk spacer)をディスクドライブのスピンドル上に設置すること６１１、第２のディスクをディスクドライブのスピンドル上に設置すること６１２、及び第１のディスク及び第２のディスクをスピンドルに固定すること６１４を含む。第２のディスクは、第１のディスクから一定の間隔を空けている。方法６００はまた、乱流抑制プレートをハウジングに関するピボット上に設置すること６１６、及び乱流抑制プレートを、スピンドル上の第１のディスクと第２のディスクの間の位置まで回転させること６１８を含む。ピボットは、第１のディスク及び第２のディスクの外周外に位置している。当該方法はまた、乱流抑制プレートをハウジングに取り付けること６２０、アクチュエータアッセンブリをハウジング内に据え付けること６２１、カバーをハウジングに取り付けること６２２、及びカバーとハウジングの間にシール(seal)を取り付けること６２４を含む。
【００３３】
図７は、実施形態の他の例による、ディスクドライブを組み立てる方法７００のフローチャートである。ディスクドライブを組み立てる方法７００は、スピンドル上に複数のディスク及びスペーサ(spacer)を設置すること７１０、及び乱流抑制プレートをスピンドル上のディスク間の位置に枢動させること７１２を含む。乱流抑制プレートをスピンドル上のディスク間の位置に枢動させること７１２は、乱流抑制プレートをハウジングに対するピボット上に設置することを含む。一実施形態において、乱流抑制プレートをスピンドル上のディスク間の位置に枢動させること７１２は、乱流抑制プレートを、ディスクドライブのハウジングの取り付けエリアに部分的に取り付けることを含む。他の実施形態においては、乱流抑制プレートをスピンドル上のディスク間の位置に枢動させること７１２は、乱流抑制プレートをディスクドライブのハウジングの第１の取り付け開口部に軸支して取り付けることを含む。方法７００は、乱流抑制プレートをハウジングの第２の取り付け開口部に取り付けること７１４を更に含む。乱流抑制プレートをハウジングの第２の取り付け開口部に取り付けること７１４は、乱流抑制プレート内の開口部を第２の取り付け開口部と揃えること、及び留め具を乱流抑制プレート内の開口部と第２の取り付け開口部を通して取り付けることを含む。方法７００はまた、乱流抑制プレートをディスクドライブのハウジングに取り付けること７１４を含んでもよく、この乱流抑制プレートをディスクドライブのハウジングに取り付けること７１４は、乱流抑制プレート内の複数の開口部を通して、ハウジング内の対応する複数の取り付け開口部に複数の留め具を取り付けることを含む。ハウジングの複数の取り付け開口部は、ハウジングの外周内にある。当該方法はまた、ディスク及び乱流抑制プレートを封入すること７１６を含む。これは、カバーをハウジング内に設置することを含んでもよい。
【００３４】
図８は、実施形態の一例による、組み立てられたディスクドライブ８００の部分断面図である。ディスクドライブ８００は、ハウジング８０２のベース８０４、及びハウジング８０２に取り付けられたスピンドル８２２を含む。第１のディスク８２０及び第２のディスク８２０’は、スピンドル８２２に取り付けられている。取り付け開口部のセットは、そのうちの一つが取り付け開口部８１２として図示されているが、ハウジング内で、スピンドル８２２に取り付けられている第１のディスク８２０及び第２のディスク８２０’の外周近くに設置されている。ディスクドライブ８００はまた、第１のディスク８２０と第２のディスク８２０’の間に位置する乱流抑制プレート２００を含む。ディスクドライブはまた、ハウジングに取り付けられるカバー８０６を含む。一実施形態において、ハウジング８０４とカバー８０６は、クラムシェルヘッドディスクエンクロージャ(clam shell head disk enclosure)を形成する。ディスクドライブ８００のハウジング８０２は、ハウジング８０２に取り付けられたピボットを含み、一実施形態において、当該ピボットは、ハウジング８０２に対する取り付けエリア内の留め具である。乱流抑制プレート２００は、ディスク８２０、８２０’間の位置へピボット周りに回転し、回転中及び最終的な組み立て位置において第１のディスク、第２のディスク８２０’及びスピンドル８２２に接触しないような形状をとる。シール(seal)８４０は、カバー８０６とハウジング８０２のベース８０４の間に取り付けられる。シール８４０は、カバー８０６とベース８０４の間の接触部分(interface)を実質的にふさぐ。
【００３５】
プリント基板（図示せず）が、シャシー(chassis)すなわちハウジングベース８０４の外側に取り付けられていてもよい。プリント基板（ＰＣＢ）は、４つの主要な電気的コンポーネント、いわゆるシステムＬＳＩを含んでもよい。当該ＬＳＩは、プリント基板（ＰＣＢ）上に取り付けられる。システムＬＳＩは、ヘッドディスクコントローラ(head disk controller)、読み出し／書き込みチャネルＩＣ(read/write channel IC)、マイクロプロセッサユニット(microprocessor unit)（ＭＰＵ）、及びモータドライバＩＣ(motor driver IC)である。これらは、ディスクドライブ８００の動作の多くの側面を制御する。
【００３６】
ＭＰＵは、駆動システムの制御ユニットであり、ＲＯＭ、ＲＡＭ、ＣＰＵ、及び論理処理ユニット(logic processing unit)を含む。論理処理回路のためのファームウェア（ＦＷ）は、ＲＯＭに保存されている。ファームウェアは、ディスクドライブの各部を制御するためにＭＰＵによって実行可能な命令のセットを含む。
【００３７】
上述の特定の実施形態の説明は、本発明の一般的な性質を効果的に明らかにしており、現在の知識の適用により、包括的な概念から逸脱することなく、様々な応用のために容易に修正及び／又は適合が可能である。従って、このような適合及び修正は、開示された実施形態の等価物の意義及び範囲内に包括されることが意図されている。
【００３８】
本明細書において採用された語法や用語は、説明を目的とするものであり、限定のためではないということが理解される。従って本発明は、添付の請求項の精神と範囲内に含まれるこのような代替物、修正、等価物、及び変形全てを包含することが意図されている。
【図面の簡単な説明】
【００３９】
【図１】本明細書において説明される実施形態の一例による、ディスク間への乱流抑制プレートの設置前に、ハウジングカバーが外されているディスクドライブの斜視図。
【図２】本明細書において説明される実施形態の一例による、ディスク間への乱流抑制プレートの設置前に、ハウジングカバーが外されているディスクドライブの上面図。
【図３】本明細書において説明される実施形態の一例による、ディスク間に乱流抑制プレートが設置された後のディスクドライブの斜視図
【図４】本明細書において説明される実施形態の一例による、ディスク間に乱流抑制プレートが設置された後のディスクドライブの上面図。
【図５】本明細書において説明される実施形態の一例による、ディスク間に乱流抑制プレートが設置された後、カバーが取り付けられようとしているディスクドライブの斜視図。
【図６】実施形態の一例による、ディスクドライブを組み立てる方法のフローチャート。
【図７】実施形態の一例による、ディスクドライブを組み立てる方法のフローチャート。
【図８】実施形態の一例による、組み立てられたディスクドライブの部分断面図。
【符号の説明】
【００４０】
１００…ディスクドライブ、１０２…ハウジング、１０４…ハウジングベース、１０６…ハウジングカバー、１１２…ボイスコイルモータ、１１３…磁石、１２０…第１のディスク、１２０’…第２のディスク、１２１…クランプ、１２２…スピンドル、１３０…回転アクチュエータ、１３２…ベアリング、１３４…ボイスコイル、１４６…トランスデューシングヘッド、１５０…ランプ、２００…乱流抑制プレート、２０１、２０２、２０３…ねじ取り付け開口部、２０４…ピボットピン、２１１、２１２、２１３…開口部、２２１、２２２、２２３…留め具。
【図１】
2009087516.tif 000003
【図２】
2009087516.tif 000004
【図３】
2009087516.tif 000005
【図４】
2009087516.tif 000006
【図５】
2009087516.tif 000007
【図６】
2009087516.tif 000008
【図７】
2009087516.tif 000009
【図８】
2009087516.tif 000010